(57)【要約】【課題】  刈り布で被施術者および椅子を覆った状態において、椅子の姿勢を変更を行うために前記スイッチを操作しようとしても、刈り布によってスイッチの位置が目視できないために刈り布を捲ってスイッチの位置を確認して操作を行わなければならずスイッチ操作がし難いといった問題があった。【解決手段】  椅子に装備される少なくとも座部の昇降用スイッチや背凭れの伏倒用スイッチ内にＬＥＤを内蔵した椅子制御用スイッチ装置である。【選択図】        図１
2010179005.tif 000002
【特許請求の範囲】
【請求項１】
椅子に装備される少なくとも座部の昇降用スイッチや背凭れの伏倒用スイッチ内にＬＥＤを内蔵したことを特徴とする椅子制御用スイッチ装置。
【請求項２】
前記スイッチ内のＬＥＤを段階的あるいは無段階的に輝度を変化させるようにしたことを特徴とする請求項１記載の椅子制御用スイッチ装置。
【請求項３】
前記刈り布によって覆われる部分に照度センサを設け、該照度センサが刈り布によって覆われたことを検出すると、常時は消灯状態の前記スイッチ内のＬＥＤを点灯するようにしたことを特徴とする請求項１または２記載の椅子制御用スイッチ装置。
【請求項４】
椅子に装備される少なくとも座部の昇降用スイッチや背凭れの伏倒用スイッチ内にＬＥＤを内蔵し、かつ、前記刈り布によって覆われる部分に照度センサを設け、該照度センサが刈り布によって覆われた状態での輝度値を検出し、該検出した輝度値が高ければ暗い照度で、また、検出した輝度値が低ければ明るい照度で前スイッチ内のＬＥＤを点灯するようにしたことを特徴とする椅子制御用スイッチ装置。
【請求項５】
椅子に装備される少なくとも座部の昇降用スイッチや背凭れの伏倒用スイッチ内にＬＥＤを内蔵し、かつ、前記刈り布によって覆われる部分に照度センサを設け、該照度センサが刈り布によって覆われたこと前記照度センサが検出すると、予め設定した照度で前記スイッチ内のＬＥＤを点灯するようにしたことを特徴とする椅子制御用スイッチ装置。
【発明の詳細な説明】
【技術分野】
【０００１】
本発明は、特に、理美容椅子における肘掛けや背凭れ取付けられ、座部の昇降、背凭れの起伏を制御するためのスイッチ内に照明具を内蔵し、施術時において被施術者に刈り布を掛けてスイッチが目視できない状態であってもＬＥＤを点灯することで、スイッチの位置を目視することができるようにした椅子制御用スイッチ装置に関する。
【背景技術】
【０００２】
従来における椅子制御用のスイッチの先行文献としては、例えば、特開平１０−２６２７７０号公報に開示されている発明がある。この発明には理美容椅子の肘掛け側面に椅子の形状に模して配列された複数個のスイッチを取付け、該各スイッチと対応する部分に押圧子を設けた１つの被覆体で覆い、制御しようとするスイッチと対応する部分の被覆体を押圧することで、座部の昇降や背凭れの伏倒を制御するものである。
【先行技術文献】
【特許文献】
【０００３】
【特許文献１】特開平１０−２６２７７０号公報
【発明の概要】
【発明が解決しようとする課題】
【０００４】
ところで、前記した先行文献にあっては、椅子の形状を模した配列でスイッチが配置されていることから、誤ってスイッチを操作することがないので施術者が希望する姿勢に椅子の制御をすることができるが、毛髪をカットするような場合には、カットした毛髪が被施術者や椅子の座部側に落ちないように刈り布と呼ばれる被施術者の身体を覆う厚みの薄い樹脂や布で覆って作業を行う。
【０００５】
このように刈り布で被施術者と椅子を覆った状態において、椅子の姿勢変更を行うために前記スイッチを操作しようとしても、刈り布によってスイッチの位置が目視できないために刈り布を捲ってスイッチの位置を確認して操作を行わなければならずスイッチ操作がし難いといった問題があった。
【０００６】
本発明は前記した問題点を解決せんとするもので、その目的とするところは、スイッチ内にＬＥＤを内蔵して点灯した状態とすることで、刈り布が相当厚手でない限り刈り布を透してスイッチの位置を施術者が目視できるので、椅子の姿勢を変更する作業が容易に行える椅子制御用スイッチ装置を提供せんとするにある。
【課題を解決するための手段】
【０００７】
本発明の椅子制御用スイッチ装置は前記した目的を達成せんとするもので、請求項１の手段は、椅子に装備される少なくとも座部の昇降用スイッチや背凭れの伏倒用スイッチ内にＬＥＤを内蔵したことを特徴とする。
【０００８】
請求項２の手段は、前記した請求項１において、前記スイッチ内のＬＥＤを段階的あるいは無段階的に照度を変化させるようにしたことを特徴とする。
【０００９】
請求項３の手段は、前記した請求項１または２において、前記刈り布によって覆われる部分に照度センサを設け、該照度センサが刈り布によって覆われたことを検出すると、常時は消灯状態の前記スイッチ内のＬＥＤを点灯するようにしたことを特徴とする。
【００１０】
請求項４の手段は、椅子に装備される少なくとも座部の昇降用スイッチや背凭れの伏倒用スイッチ内にＬＥＤを内蔵し、かつ、前記刈り布によって覆われる部分に照度センサを設け、該照度センサが刈り布によって覆われた状態での輝度値を検出し、該検出した輝度値が高ければ暗い照度で、また、検出した輝度値が低ければ明るい照度で前スイッチ内のＬＥＤを点灯するようにしたことを特徴とする。
【００１１】
請求項５の手段は、椅子に装備される少なくとも座部の昇降用スイッチや背凭れの伏倒用スイッチ内にＬＥＤを内蔵し、かつ、前記刈り布によって覆われる部分に照度センサを設け、該照度センサが刈り布によって覆われたこと前記照度センサが検出すると、予め設定した照度で前記スイッチ内のＬＥＤを点灯するようにしたことを特徴とする。
【発明の効果】
【００１２】
本発明は前記したように、請求項１にあっては、椅子に装備される少なくとも座部の昇降用スイッチや背凭れの伏倒用スイッチを制御するためのスイッチ内にＬＥＤを内蔵したことにより、ＬＥＤよりの光を透過する刈り布であれば、刈り布の外部からスイッチの位置を目視することができるので、施術中に刈り布を捲らなくとも椅子の姿勢変化を正確に行うことができる。
【００１３】
請求項２にあっては、ＬＥＤの照度を段階的あるいは無段階的に照度を変更できるようにしたので、刈り布の厚みに応じた照度でスイッチの存在位置を表示することができ、従って、理美容院で使用している刈り布の厚み（透過率）に合わせてＬＥＤの照度を変化させて確実にスイッチの存在位置を表示することができる。
【００１４】
請求項３にあっては、照度センサが刈り布によって覆われたことを検出すると、スイッチ内のＬＥＤを自動的に点灯するようにしたので、刈り布によって被施術者や椅子が覆われない限りＬＥＤは点灯しないことから省エネ化を図ることができる。
【００１５】
請求項４にあっては、刈り布によって覆われる部分に照度センサを設け、該照度センサが刈り布によって覆われた状態での輝度値を検出し、該検出した輝度値が高ければ低い照度で、また、検出した輝度値が低ければ高い照度でＬＥＤを自動的に点灯するようにしたので、外部から視認できる照度でＬＥＤを点灯することから、確実にスイッチの存在位置が表示されて誤操作することなく姿勢制御を行うことが可能である。
【００１６】
請求項５にあっては、照度センサが刈り布によって覆われたことを検出すると、予め使用されている刈り布の透過率に合ったＬＥＤの輝度を施術者等が設定した照度でＬＥＤが点灯することから、施術者が希望する照度でＬＥＤが点灯され確実な姿勢制御を行うことができる等の効果を有するものである。
【図面の簡単な説明】
【００１７】
【図１】本発明に係る椅子制御用スイッチ装置の一実施例を示す椅子を後方斜めから見た斜視図である。
【図２】被施術者に刈り布を掛けた状態を後方斜めから見た斜視図である。
【図３】スイッチに内蔵されたＬＥＤの点灯を制御するための回路ブロック図である。
【図４】図３の回路ブロック図の動作の一例を示すフローチャートである。
【図５】他の動作を示すフローチャートである。
【発明を実施するための形態】
【００１８】
以下、本発明に係る椅子制御用スイッチ装置の一実施例を図面と共に説明する。
図１，２において、１は理美容椅子にして、肘掛け１１の側面に座部１２の上昇用スイッチ１１ａと下降用スイッチ１１ｂおよび上昇位置にある座部１２を一度押すだけで最下降位置まで下降させるオートリターン１１ｃが設けられている。また、背凭れ１３の側面にも前記した肘掛け１１のスイッチと同様な上昇用スイッチ１３ａと下降用スイッチ１３ｂが設けられている。
【００１９】
なお、前記上昇用スイッチ１１ａを操作すると座部１２の上昇に連動して背凭れ１３が伏倒し、また、下降用スイッチ１１ｂを操作すると座部１２の下降に連動して背凭れ１３が起立する構造となっている。そして、以上の構成は公知の構造である。また、図示していないが、施術者が予め施術作業が行い易い座部１２の高さ位置を設定しておいて、座部１２が如何なる位置であっても操作することで設定した高さ位置まで座部を上昇させるためのプリセットスイッチを設けることもある。
【００２０】
そして、前記した上昇用スイッチ１１ａ，１３ａ、下降用スイッチ１１ｂ，１３ｂおよびオートリターン用スイッチ１１ｃ内にはＬＥＤが内蔵されている。
【００２１】
このような構成の椅子１にあっては、始業時に図示しない電源スイッチをオンにすると、各スイッチ１１ａ〜１１ｃ，１３ａ，１３ｂに内蔵されたＬＥＤが点灯するので、毛髪のカット作業において透明あるいは半透明の樹脂製刈り布や薄手布製の刈り布２を被施術者の肩から椅子１の肘掛け１１の外側まで被せても（図２参照）、ＬＥＤが点灯しているので刈り布２を介してスイッチ１１ａ〜１１ｃ，１３ａ，１３ｂの位置が目視でき、従って、各種の操作を刈り布の外部から行えるので、従来のように刈り布２を捲るような作業が不要となる。
【００２２】
なお、図示のスイッチ１１ａ，１３ａを座部の上昇とし、スイッチ１１ｂ，１３ｂを座部の下降用とし、また、スイッチ１１ｃをオートリターン用としが、スイッチの組み合わせとしては、スイッチ１１ａおよび１１ｂをオートリターン用とし、スイッチ１１ｃをプリセットスイッチとし、座部の昇降用スイッチを肘掛け１１の所望位置（図示せず）に配置するなど、スイッチの種類の組み合わせは椅子によって異なるものである。
【００２３】
前記した動作説明においてはＬＥＤの照度が一定の場合について説明したが、刈り布２の透過率が大きいのにＬＥＤの照度が高いと施術者にとって眩しかったり、また、刈り布２の透過率が小さいのにＬＥＤの照度が低いとスイッチの位置が目視できない等の問題が生じる。
【００２４】
そこで、理美容院で使用する刈り布２の透過率に応じてＬＥＤの照度を段階的に切り換えるスイッチや、無段階的に変更可能なボリューム（何れも図示せず）を、前記肘掛け１１あるいは背凭れ１３の前記スイッチ１１ａ〜１１ｃ，１３ａ，１３ｂが設けられた部分に設けることで、最適な照度でＬＥＤを点灯させることが可能となる。なお、ＬＥＤの照度を変更する回路は周知であるので、ここでは記載を省略する。
【００２５】
なお、前記した説明では常時ＬＥＤが点灯状態であるので、省エネ化を図ることができない。そこで、肘掛け１１の側面に椅子１の近傍の輝度を検出する照度センサを取付ける。なお、照度センサ３は必ずしも肘掛け１１に取付ける必要はなく、外乱光が入り込まない位置であって刈り布２が被施術者に掛けられたことを検出可能な位置であるならば、どの位置であっても良い。
【００２６】
そして、前記照度センサ３で常時室内の輝度を検出し、刈り布２が被施術者に掛けられて輝度値が変化したことを検出する出力で、スイッチ内に内蔵されたＬＥＤを点灯させることで、刈り布２が掛けられている時のみＬＥＤを点灯させることで省エネ化を図ることが可能となる。
【００２７】
前記した実施例はＬＥＤの照度設定を人為的に行う場合について説明したが、刈り布２が掛けられた時にＬＥＤを点灯する場合の実施例について図３の回路ブロックと共に説明する。
【００２８】
４は図１，２には図示されていないが、例えば、３段階に切り換え可能なスイッチであり、各切り換え端子間に異なる抵抗値の抵抗器を接続し、ＬＥＤの輝度を小、中、大と切り換え可能なもの、あるいは、無段階に抵抗値を可変できるボリュームであり、ＬＥＤの照度を無段階的に調整可能な照度調整手段である。
【００２９】
５はメモリを備えるＣＰＵにして、入力側には前記照度センサ３および照度調整手段４が接続されている。また、ＣＰＵ５の出力側にはＬＥＤ駆動回路６を介して前記したスイッチ１１ａ，１１ｂ，１１ｃ，１３ａ，１３ｂ内に内蔵されたＬＥＤ７が接続されている。
【００３０】
次に、刈り布２によって覆われたことを照度センサが検出し、刈り布２の透過率によってＬＥＤ７の照度を変更して点灯する動作を図４のフローチャートと共に説明する。
【００３１】
照度センサ３は常に椅子１が設置されている周囲の輝度値を検出している。この状態において、ＣＰＵ５は刈り布２が掛けられることによって照度センサ３の輝度値が変化したか否かを監視する（ステップＳ１）。この監視において、人体及び物体の影等、短時間の照度変化においては変化したとは判断しない。前述の短時間と称した時間を超えて輝度値が変化したと判断すると、変化した輝度値に対応するＬＥＤ７を点灯するパルス幅変調（以下「ＰＷＭ」と記載）電圧を、予めＣＰＵ５内のメモリに記憶されているテーブル（検出した輝度値が高ければ、点灯するＬＥＤの照度が低くなるデューティサイクルとし、また、検出した輝度値が低ければＬＥＤの照度が高くなるデューティサイクルとする複数段階に設定されたテーブル）から選択する（ステップＳ２）。
【００３２】
前記ステップＳ２において選択されたデューティサイクルのＰＷＭ電圧をＬＥＤ駆動回路６に出力する（ステップＳ３）。該ＬＥＤ駆動回路６は前記ＣＰＵ５からのＰＷＭ電圧に応じた光量でＬＥＤ７を点灯するので（ステップＳ４）、ＬＥＤ７は最適な照度で点灯されて刈り布２の外部より全てのスイッチの位置を目視することができることとなる。
【００３３】
次に、刈り布２によって覆われたことを照度センサが検出し、予め施術者等が刈り布２の透過率に適した照度（施術者にとって視認し易い照度）でＬＥＤを点灯する場合の動作を図５のフローチャートと共に説明する。
【００３４】
先ず、施術者等が刈り布２の透過率に適したＬＥＤ７の照度（ＰＷＭ電圧のデューティサイクル）を予め設定するとＣＰＵ５内のメモリに記憶される（ステップＳ１１）。一方、照度センサ３は常に椅子１が設置されている周囲の輝度を検出している。この状態において、ＣＰＵ５は刈り布２が掛けられることによって照度センサ３の輝度値が変化したか否かを監視する（ステップＳ１２）。この監視において、人体及び物体の影等、短時間の照度変化においては変化したとは判断しない。前述の短時間と称した時間を超えて輝度値が変化したと判断すると、前記ＣＰＵ５内のメモリに記憶されている照度に対応するデューティサイクルのＰＷＭ電圧をＬＥＤ駆動回路６に出力する（ステップＳ１３）。
【００３５】
該ＬＥＤ駆動回路６は前記ＣＰＵ５からのＰＷＭ電圧に応じた光量でＬＥＤ７を点灯するので（ステップＳ１４）、ＬＥＤ７は予め設定された照度で点灯されるので、刈り布２の外部より全てのスイッチの位置を施術者が希望する照度でＬＥＤ７が点灯され目視することが可能となる。
【００３６】
前記した実施例において、スイッチの種類（座部の昇降用、オートリターン用およびプリセット用等）毎にＬＥＤの発光色を変えることで、施術者が発光色を見て椅子の姿勢制御に応じたスイッチの選択を間違いなく行え、希望する姿勢に椅子を変更することができる。
【符号の説明】
【００３７】
１                        椅子
１１                      肘掛け
１１ａ，１１ｂ，１１ｃ    肘掛けに設けられたスイッチ
１３                      背凭れ
１３ａ，１３ｂ            背凭れに設けられたスイッチ
２                        刈り布
３                        照度センサ
４                        照度調整手段
５                        ＣＰＵ
６                        ＬＥＤ駆動回路
７                        ＬＥＤ
【図１】
2010179005.tif 000003
【図２】
2010179005.tif 000004
【図３】
2010179005.tif 000005
【図４】
2010179005.tif 000006
【図５】
2010179005.tif 000007